【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
電気化学モジュール（２０）用の多孔質または少なくとも部分的に多孔質のガス案内部材（１０，１０’）であって、
前記電気化学モジュール（２０）は、少なくとも１つの電気化学的活性層を含む層構造（２３）を備えた少なくとも１つの電気化学セルユニット（２１）と、該電気化学セルユニット（２１）と共に気密なプロセスガス空間（２６）を形成する金属製の気密なハウジング（２４；２５）とを有し、
前記ハウジング（２４；２５）は、少なくとも１つの側面において、前記電気化学セルユニット（２１）の領域を越えて延在し、前記電気化学セルユニットに対して開口したプロセスガス案内空間（２７；２７’）を形成し、かつ該プロセスガス案内空間（２７；２７’）の領域内に、プロセスガスの供給および／または排出用の少なくとも１つのガス通路開口部（２８；２８’）を有し、
前記ガス案内部材（１０，１０’）が、前記プロセスガス案内空間（２７；２７’）内への配置のために適合化されており、かつ前記ガス案内部材の表面がプロセスガスとの相互作用のために機能化されていることを特徴とするガス案内部材。
【請求項２】
前記ガス案内部材（１０，１０’）が、前記電気化学セルユニット（２１）とは別体の構成要素として形成されていることを特徴とする請求項１記載のガス案内部材。
【請求項３】
前記ガス案内部材（１０，１０’）が、前記電気化学モジュールの積層方向に沿って両側で前記ハウジングを支持するために適合化されていることを特徴とする請求項１又は２記載のガス案内部材。
【請求項４】
電気化学モジュール（２０’）用の多孔質または少なくとも部分的に多孔質のガス案内部材（１０’’，１０’’’）であって、
前記電気化学モジュール（２０’）が、少なくとも１つの電気化学的活性層を含む層構造（２３）を備えた少なくとも１つの電気化学セルユニット（２１）と、該電気化学セルユニットと共に気密なプロセスガス空間（２６）を形成する金属製の気密なハウジングとを有し、
前記ハウジングが、少なくとも１つの側面において、前記電気化学セルユニット（２１）の領域を越えて延在し、前記電気化学セルユニットに対して開口したプロセスガス案内空間（２７；２７’）を形成し、かつ該プロセスガス案内空間の領域内に、プロセスガスの供給および／または排出用の少なくとも１つのガス通路開口部（２８；２８’）を有し、
前記ガス案内部材（１０’’，１０’’’）が、前記プロセスガス案内空間（２７；２７’）のハウジング部分として形成されており、かつ前記プロセスガス案内用の内部空間に面する前記ガス案内部材の表面が、プロセスガスとの相互作用のために機能化されていることを特徴とするガス案内部材。
【請求項５】
前記ガス案内部材（１０’’，１０’’’)が、前記電気化学セルユニット（２１）の金属製の支持基板（２２）と一体に形成されていることを特徴とする請求項４記載のガス案内部材。
【請求項６】
前記ガス案内部材（１０，１０’，１０’’，１０’’’）が、反応ガスの触媒改質のために機能化されていることを特徴とする請求項１乃至５のいずれか１項に記載のガス案内部材。
【請求項７】
前記触媒改質のための機能化が、ニッケル、白金若しくはパラジウム、またはこれらの金属の酸化物のうち少なくとも１つの導入によって行われることを特徴とする請求項６記載のガス案内部材。
【請求項８】
前記ガス案内部材（１０，１０’，１０’’，１０’’’）が、前記反応ガスの浄化のために機能化されていることを特徴とする、請求項１乃至５のいずれか１項に記載のガス案内部材。
【請求項９】
前記ガス案内部材（１０，１０’，１０’’，１０’’’）が、硫黄、塩素、酸素または炭素のうち少なくとも１つに対する前記反応ガスの浄化のために機能化されていることを特徴とする、請求項８に記載のガス案内部材。
【請求項１０】
前記反応ガスを硫黄または塩素のうち少なくとも１つに対して浄化するための機能化が、ニッケル、コバルト、クロムまたはセリウムのうち少なくとも１つの導入によって行われることを特徴とする請求項８又は９に記載のガス案内部材。
【請求項１１】
前記反応ガスを酸素に対して浄化するための機能化が、クロム、銅またはチタンのうち少なくとも１つの導入によって行われることを特徴とする請求項８又は９に記載のガス案内部材。
【請求項１２】
前記反応ガスを炭素（煤）に対して浄化するための機能化が、チタンの導入によって行われることを特徴とする請求項８又は９にに記載のガス案内部材。
【請求項１３】
前記ガス案内部材（１０，１０’，１０’’，１０’’’）が、生成ガスを浄化するために機能化されていることを特徴とする請求項１乃至５のいずれか１項に記載のガス案内部材。
【請求項１４】
前記ガス案内部材（１０，１０’，１０’’，１０’’’）が、クロムまたは酸素のうち少なくとも１つに対して前記生成ガスを浄化するために機能化されていることを特徴とする請求項１３に記載のガス案内部材。
【請求項１５】
前記生成ガスをクロムに対して浄化するための機能化が、酸化物セラミックの導入によって行われることを特徴とする請求項１３又は１４に記載のガス案内部材。
【請求項１６】
前記生成ガスをクロムに対して浄化するための機能化が、Ｃｕ−Ｎｉ−Ｍｎスピネルの導入によって行われることを特徴とする請求項１３又は１４に記載のガス案内部材。
【請求項１７】
前記酸素に対しての浄化のための機能化が、Ｔｉ、Ｃｕまたは半化学量論的なスピネル化合物のうち少なくとも１つの導入によって行われることを特徴とする請求項１３又は１４に記載のガス案内部材。
【請求項１８】
前記導入が、合金化によって行われるか、またはコーティング方法によって行われることを特徴とする請求項７、１０、１１、１２、１５、１６又は１７のいずれか１項に記載のガス案内部材。
【請求項１９】
前記コーティング方法が、蒸着法、浸漬コーティング、または懸濁液またはペーストの塗布方法を用いたコーティング方法によって行われることを特徴とする請求項１８に記載のガス案内部材。
【請求項２０】
前記ガス案内部材（１０，１０’，１０’’，１０’’’）の前記基材が、粉末合金により製造された、鉄またはクロムのうち少なくとも１つに基づくフェライト合金であることを特徴とする請求項１乃至１９のいずれか１項に記載のガス案内部材。
【請求項２１】
前記ガス案内部材（１０，１０’，１０’’，１０’’’）が、少なくとも１つのガス案内構造（１２）を有することを特徴とする請求項１乃至２０のいずれか１項に記載のガス案内部材。
【請求項２２】
少なくとも１つの電気化学的活性層を含む層構造（２３）を備えた実質的に板状の電気化学セルユニット（２１）と、該電気化学セルユニット（２１）と共に気密なプロセスガス空間（２６）を形成する金属製の気密なハウジング（２４；２５）とを有する電気化学モジュール（２０； ２０’）であって、
前記ハウジング（２４； ２５）が、少なくとも１つの側面において、前記電気化学セルユニット（２１）の領域を越えて延在し、前記ハウジング（２４；２５）が、前記電気化学セルユニットに対して開口したプロセスガス案内空間（２７； ２７’）を形成し、プロセスガスの供給および／または排出用のプロセスガス案内空間（２７；２７’）の領域内に少なくとも１つのガス通路開口部（２８； ２８’）を有する、前記電気化学モジュール（２０；２０’）において、
前記プロセスガス案内空間（２７； ２７’）内で、前記ガス通路開口部の領域内に、請求項１または請求項１に従属した請求項２、３、６乃至１７のいずれか１項に記載の少なくとも１つのガス案内部材（１０；１０’）が配置されており、該ガス案内部材（１０； １０’）が前記電気化学モジュール（２０；２０’）の積層方向（Ｂ）に沿ったハウジングの支持に用いられるか、または
前記プロセスガス案内空間の前記ハウジングが請求項４または請求項４に従属した請求項５乃至１７のいずれか１項に記載の少なくとも１つのガス案内部材（１０’’，１０’’’）によって少なくとも部分的に形成されているか、のうちの少なくとも一方であることを特徴とする電気化学モジュール（２０；２０’）。
【請求項２３】
前記ハウジング（２４； ２５）が、少なくとも２つの側面において、前記電気化学セルユニット（２１）の領域を越えて延在して、少なくとも１つの第１のガス案内部材（1０； １０’’）が割り当てられている反応ガス用の少なくとも１つのガス導入開口部（２８）を有する第１のプロセスガス案内空間（２７）と、少なくとも１つの第２のガス案内部材（１０’； １０’’’）が割り当てられている生成ガス用の少なくとも１つのガス導出開口部（２８’）を有する第２のプロセスガス案内空間（２７’）とが形成されており、
前記第１のプロセスガス案内空間に割り当てられた前記第１のガス案内部材（１０； １０’’）の機能化が、前記第２のプロセスガス案内空間に割り当てられた前記第２のガス案内部材（１０’； １０’’’）の機能化と異なることを特徴とする請求項２２記載の電気化学モジュール。
【請求項２４】
前記第１のガス案内部材（１０； １０’’）が反応ガスの処理のために機能化されているか、前記第２のガス案内部材（１０’； １０’’’）が生成ガスの後処理のために機能化されているか、のうちの少なくとも一方であることを特徴とする請求項２３記載の電気化学モジュール。